(57)【特許請求の範囲】
【請求項１】
マンガのコマ画像のエッジ付近をスキャンして同じ色のピクセルが広がっている同色領域を検出する同色領域検出ステップと、
前記同色領域検出ステップにて検出された同色領域のうちのある同色領域の色を一定の基準に基づいてマスク色として定めるマスク色決定ステップと、
前記マスク色決定ステップにて決定されたマスク色により、前記同色領域を含む同じ色のピクセルの広がりに対して塗りつぶし処理を行ってマスクを生成し、該マスクを前記コマ画像と同じサイズの空の画像に描画して、一時的なマスク画像であるテンポラリマスク画像を新たに作成するテンポラリマスク画像作成ステップと、
前記テンポラリマスク画像作成ステップにて作成されたテンポラリマスク画像の塗りつぶされている領域と該テンポラリマスク画像の白地との境界に位置するピクセルを検出するピクセル検出ステップと、
前記ピクセル検出ステップにて検出されたピクセルをもとにハフ変換を用いて、前記境界に対応する直線を検出する直線検出ステップと、
前記コマ画像のサイズをある拡大率で拡大又はある縮小率で縮小したサイズの空の画像を新たに作成する空画像作成ステップと、
前記空画像作成ステップで作成された空の画像に対して、前記直線検出ステップで検出された直線を前記拡大率で拡大又は前記縮小率で縮小して描画する直線描画ステップと、
前記マスク色決定ステップにて決定されたマスク色により、前記直線描画ステップで描画された直線と、該直線が描画された画像のエッジとの間を塗りつぶして、最終的なマスク画像を作成するステップと
を含むマンガのコマ画像のためのマスク画像を作成する方法。
【請求項２】
前記マスク色決定ステップが、前記同色領域検出ステップにて検出された同色領域のうちの最も広い同色領域の色をマスク色として定めるステップである、請求項１に記載の方法。
【請求項３】
マンガのコマ画像をメモリに読み込む手段と、
前記コマ画像のエッジ付近をスキャンして同じ色のピクセルが広がっている同色領域を検出する同色領域検出手段と、
前記同色領域検出手段が検出した同色領域のうちのある同色領域の色を一定の基準に基づいてマスク色として定めて前記メモリに保存するマスク色決定手段と、
前記メモリに保存されたマスク色により、前記同色領域を含む同じ色のピクセルの広がりに対して塗りつぶし処理を行ってマスクを生成し、該マスクを前記コマ画像と同じサイズの空の画像に描画して、一時的なマスク画像であるテンポラリマスク画像を新たに作成して前記メモリに保存するテンポラリマスク画像作成手段と、
前記メモリに保存されたテンポラリマスク画像の塗りつぶされている領域と該テンポラリマスク画像の白地との境界に位置するピクセルを検出するピクセル検出手段と、
前記ピクセル検出手段が検出したピクセルをもとにハフ変換を用いて、前記境界に対応する直線を検出する直線検出手段と、
前記コマ画像のサイズをある拡大率で拡大又はある縮小率で縮小したサイズの空の画像を新たに作成して前記メモリに保存する空画像作成手段と、
前記空画像作成手段が作成した空の画像に対して、前記直線検出手段で検出した直線を前記拡大率で拡大又は前記縮小率で縮小して描画する直線描画手段と、
前記メモリに保存されたマスク色により、前記直線描画手段が描画した直線と、該直線が描画された画像のエッジとの間を塗りつぶして、最終的なマスク画像を作成して前記メモリに保存する最終的なマスク画像作成手段と
をコンピュータに実現させる、マンガのコマ画像のためのマスク画像を作成するためのコンピュータプログラム。
【請求項４】
前記マスク色決定手段が、前記同色領域検出手段にて検出された同色領域のうちの最も広い同色領域の色をマスク色として定めて前記メモリに保存する手段である、請求項３に記載のコンピュータプログラム。
【発明の詳細な説明】
【技術分野】
【０００１】
本発明は、マスク画像の作成方法及びプログラムに関する。具体的には、本発明は、マンガのコマ画像のためのマスク画像の作成方法及びプログラムに関する。
【背景技術】
【０００２】
マスク画像の作成は、様々な分野で行われている。一方で、マンガの製作過程におけるマスク画像の作成には特別に配慮すべき事項があり、一般的なマスク画像の作成方法をそのまま利用することは難しい。
【０００３】
例えば、近年、マンガを携帯電話やＰＤＡ、ポータブル・ゲーム機などの小型端末に配信することが盛んになっている。ページ単位で作成されたマンガをこのような携帯端末の小さな画面にそのまま表示することはできないので、ページ単位のマンガ画像から、小画面に表示できる画像を矩形で切り出す。ここで、切り出される画像はマンガのコマ領域を含むように作成され、コマ画像と呼ばれる。このコマ画像は、コマ領域と、コマ領域以外の領域すなわちマスクされた領域とを含んでいる。しかし、このコマ画像のためのマスク画像を新たに作成しなければならない場合がある。このようなマスク画像の作成はオペレータの作業によるが、それを可能な限り簡略化するためのソフトウェアツールが求められている。
【発明の開示】
【発明が解決しようとする課題】
【０００４】
このように、マンガの製作の一工程であるマスク画像の作成工程において利用できるソフトウェアツールが求められている。
【課題を解決するための手段】
【０００５】
上記課題を解決するため、本発明に係るマンガのコマ画像のためのマスク画像を作成する方法は、前記コマ画像のエッジ付近をスキャンして同じ色のピクセルが広がっている同色領域を検出する同色領域検出ステップと、前記同色領域検出ステップにて検出された同色領域のうちのある同色領域の色を一定の基準に基づいてマスク色として定めるマスク色決定ステップと、前記マスク色決定ステップにて決定されたマスク色により、前記同色領域を含む同じ色のピクセルの広がりに対して塗りつぶし処理を行ってマスクを生成し、該マスクを前記コマ画像と同じサイズの空の画像に描画して、一時的なマスク画像であるテンポラリマスク画像を新たに作成するテンポラリマスク画像作成ステップと、前記テンポラリマスク画像作成ステップにて作成されたテンポラリマスク画像の塗りつぶされている領域と該テンポラリマスク画像の白地との境界に位置するピクセルを検出するピクセル検出ステップと、前記ピクセル検出ステップにて検出されたピクセルをもとにハフ変換を用いて、前記境界に対応する直線を検出する直線検出ステップと、前記コマ画像のサイズをある拡大率で拡大又はある縮小率で縮小したサイズの空の画像を新たに作成する空画像作成ステップと、前記空画像作成ステップで作成された空の画像に対して、前記直線検出ステップで検出された直線を前記拡大率で拡大又は前記縮小率で縮小して描画する直線描画ステップと、前記マスク色決定ステップにて決定されたマスク色により、前記直線描画ステップで描画された直線と、該直線が描画された画像のエッジとの間を塗りつぶして、最終的なマスク画像を作成するステップとを含む。
【０００６】
別の実施形態で、前記マスク色決定ステップは、前記同色領域検出ステップにて検出された同色領域のうちの最も広い同色領域の色をマスク色として定めるステップとすることができる。
【０００７】
上記問題を解決するため、本発明に係るマンガのコマ画像のためのマスク画像を作成するためのコンピュータプログラムは、マンガのコマ画像をメモリに読み込む手段と、前記コマ画像のエッジ付近をスキャンして同じ色のピクセルが広がっている同色領域を検出する同色領域検出手段と、前記同色領域検出手段が検出した同色領域のうちのある同色領域の色を一定の基準に基づいてマスク色として定めて前記メモリに保存するマスク色決定手段と、前記メモリに保存されたマスク色により、前記同色領域を含む同じ色のピクセルの広がりに対して塗りつぶし処理を行ってマスクを生成し、該マスクを前記コマ画像と同じサイズの空の画像に描画して、一時的なマスク画像であるテンポラリマスク画像を新たに作成して前記メモリに保存するテンポラリマスク画像作成手段と、前記メモリに保存されたテンポラリマスク画像の塗りつぶされている領域と該テンポラリマスク画像の白地との境界に位置するピクセルを検出するピクセル検出手段と、前記ピクセル検出手段が検出したピクセルをもとにハフ変換を用いて、前記境界に対応する直線を検出する直線検出手段と、前記コマ画像のサイズをある拡大率で拡大又はある縮小率で縮小したサイズの空の画像を新たに作成して前記メモリに保存する空画像作成手段と、前記空画像作成手段が作成した空の画像に対して、前記直線検出手段で検出した直線を前記拡大率で拡大又は前記縮小率で縮小して描画する直線描画手段と、前記メモリに保存されたマスク色により、前記直線描画手段が描画した直線と、該直線が描画された画像のエッジとの間を塗りつぶして、最終的なマスク画像を作成して前記メモリに保存する最終的なマスク画像作成手段とをコンピュータに実現させる。
【０００８】
別の実施形態で、前記マスク色決定手段は、前記同色領域検出手段にて検出された同色領域のうちの最も広い同色領域の色をマスク色として定めて前記メモリに保存する手段とすることができる。
【発明の効果】
【０００９】
本発明によれば、マンガのコマ画像に適したマスク画像の作成方法及びコンピュータプログラムを提供することができる。この方法又はコンピュータプログラムにより、マンガのコマ画像のためのマスク画像を作成することで効率的にマンガを製作できる。
【発明を実施するための最良の形態】
【００１０】
次に、本発明に係るマンガのコマ画像のためのマスク画像を作成する方法を実施する一つの形態について図面を参照しながら説明する。
【００１１】
まず、図１はマンガのコマ画像１００を示している。コマ画像とは、上述したとおりページ単位のマンガ画像から切り出された画像をいう。
通常、このコマ画像は、マンガのページ画像中の少なくとも一つのコマを含んでいる。図１に示しているように、コマ画像１００は、コマ領域１１０とマスクされた領域１２０とを含んでいる。マスクされた領域１２０が、コマ画像１００の上端、下端、左端又は右端のいずれかに接するように、コマ画像１００を切り出すのが一般的である。
【００１２】
図２は、本発明に係るマンガのコマ画像のためのマスク画像を作成する方法のフローチャートを示している。ステップＳ２０１から開始し、ステップＳ２０２においてコマ画像１００のエッジ付近（縁に近い部分）をスキャンして同じ色のピクセルが広がっている同色領域を検出する。すなわち、このステップＳ２０１は、マスクされた領域１２０を検出するためのものである。なお、ここでの「同色」とは厳密な同色という意味である必要はなく、ある範囲をもった同系色を「同色」と考えることができる。
【００１３】
このステップＳ２０２におけるスキャンの様子を図３に示している。まず、コマ画像１００の上端付近を左から右の方向へカーソル３１０を移動させて、コマ画像１００の上端付近に存在する同色領域を検出する。このカーソル３１０のサイズは、３×３ピクセルとすることができる。同色領域すなわちマスクされた領域は、コマ画像１００のいずれかのエッジに接しているという特徴を持っているため、上端から３ピクセル分をコマ画像１００の幅方向にスキャンするだけで、同色領域のうち上端付近にある部分を検出できる。次に、コマ画像１００の下端付近を左から右の方向へカーソル３１０を移動させて、コマ画像１００の下端付近に存在する同色領域を検出する。コマ画像１００の左端及び右端についてもそれぞれカーソル３１０を上から下の方向へ移動させて、コマ画像１００の左端付近及び右端付近に存在する同色領域を検出する。
【００１４】
ステップＳ２０３ではマスク色を決定する。決定方法は任意であるが、例えば、ステップＳ２０２で検出された同色領域のうち最も広い領域の色をマスク色として決定することができる。
【００１５】
ステップＳ２０４では、ステップＳ２０３で決定したマスク色を有する領域に存在するある点（ピクセル）を塗り位置として定める。この塗り位置は、図３の場合、上端付近、下端付近、左端付近及び右端付近から１点ずつ定め、計４点とすることができる。この点は、同色領域内の任意の位置に置くことができる。
【００１６】
ステップＳ２０５では、ステップＳ２０３で決定したマスク色と、ステップＳ２０４で定めた４点の塗り位置とに基づいて、塗りつぶし処理を行ってマスクを生成する。塗りつぶす範囲は、ステップＳ２０２で検出された同色領域がコマ画像１００において占める範囲により定まる。このようにして生成されたマスクをコマ画像１００と同じサイズの空の画像に描画し、一時的なマスク画像を作成する。この一時的なマスク画像をテンポラリマスク画像と呼び、図４に示している。なお、ここでの塗りつぶし処理は、例えばシード・フィル(seed fill)・アルゴリズム又はスキャン・ライン・シード・フィル(scan line seed fill)のアルゴリズムにより行うことができる。
【００１７】
この時点で暫定的なマスク画像であるテンポラリマスク画像４００が得られている。しかし、このテンポラリマスク画像４００の問題として、マスクとして塗りつぶすべきではないものの、結果的にマスクとして塗りつぶされている部分が画像４００に含まれている場合がある。具体的には、図４のテンポラリマスク画像４００において符号４１０で示されている部分である。この部分４１０は、図１のコマ画像１００のマスク領域１２０に接している集中線の一部に対応しており、本来マスクとはならない部分である。部分４１０に対応するコマ画像１００内の集中線の一部が、コマ画像１００においてマスク領域１２０に接していてかつマスク色と同色で描画されているために、ステップＳ２０５で塗りつぶされて部分４１０が生まれる。
【００１８】
また、異なるサイズのマスク画像を再度作成する場合、このテンポラリマスク画像４００を単に拡大又は縮小すると、マスク領域と白地との境界が粗くなるという問題がある。そこで、これらの問題を解決するために以下の処理を実行する。
【００１９】
ステップＳ２０６では、テンポラリマスク画像４００のマスク領域と白地との境界に位置するピクセルを検出する。この様子を図５に示している。まず、テンポラリマスク画像４００の左端から右の方向へマスク領域をスキャンして、マスク領域と白地との境界に位置するピクセルを検出する。同様に、テンポラリマスク画像４００の右端から左の方向へ、上端から下の方向へ、そして下端から上の方向へマスク領域をスキャンして、マスク領域と白地との境界に位置するピクセルを検出する。このようにして検出された境界位置のピクセルを図５において黒丸で示している。
【００２０】
なお、テンポラリマスク画像４００の左端及び右端からスキャンをする長さは、テンポラリマスク画像４００の幅の半分とすることができる。そして、テンポラリマスク画像４００の上端及び下端からスキャンをする長さは、テンポラリマスク画像４００の高さの半分とすることができる。こうして、テンポラリマスク画像４００の全体をスキャンすることができる。これは、マスク領域が画像のエッジに接しているというマンガの画像の特徴を利用したものである。
【００２１】
ステップＳ２０７では、ステップＳ２０６で検出されたピクセルをもとにハフ変換（Ｈｏｕｇｈ変換）を用いて直線を決定する。ハフ変換は、デジタル画像処理で用いられる特徴抽出法の一つであり、本発明においては、ステップＳ２０６で検出されたピクセルのうち最も多い数のピクセルを通る直線を決定するために用いる。このようにして検出された直線６１０及び直線６２０を図６に示している。
【００２２】
ステップＳ２０８では、図７に示すような空の画像７００を新たに作成する。この画像７００は、後続の処理を経て最終的なマスク画像となる。この画像７００のサイズは、コマ画像１００と同じサイズとすることができ、あるいはコマ画像１００を拡大又は縮小したサイズとすることもできる。本実施例では、コマ画像１００に対する画像７００の拡大率を１２０％とする。
【００２３】
ステップＳ２０９では、ステップＳ２０８で作成された空の画像７００に対して、ステップＳ２０７で検出された直線を拡大又は縮小して描画する。本実施例では、上述した画像７００の拡大率１２０％に応じて、直線６１０及び６２０がそれぞれ拡大率１２０％で拡大されて描画される。このようにして描画された直線８１０及び８２０を図８に示している。
【００２４】
ステップＳ２１０では、ステップＳ２０９で描画された直線と画像７００のエッジとの間をマスク色で塗りつぶす。本実施例では、画像７００の左端と直線８１０との間の領域をマスク色で塗りつぶす。そして、画像７００の右端と直線８２０との間の領域をマスク色で塗りつぶす。このようにしてできた最終的なマスク画像９００を図９に示している。そして、ステップＳ２１１で手順を終了する。
【００２５】
次に、本発明に係るマンガのコマ画像のためのマスク画像を作成するためのコンピュータプログラムの一つの形態について図面を参照しながら説明する。
【００２６】
図１０は、本発明に係るコンピュータプログラムを実行するコンピュータシステム１０００を示している。図１０に示しているように、コンピュータシステム１０００は、マウスやキーボードなどの入力手段１００５と、ディスプレイなどの表示手段１０１０と、メモリ１０１５などの記憶手段とを備えている。このコンピュータシステム１０００は、マンガのコマ画像をメモリに読み込む手段１０２０と、同色領域検出手段１０３０と、マスク色決定手段１０４０と、塗り位置決定手段１０５０と、テンポラリマスク画像作成手段１０６０と、ピクセル検出手段１０７０と、直線検出手段１０８０と、空画像作成手段１０８５と、直線描画手段１０９０と、最終的なマスク画像作成手段１０９５とをさらに備えている。
【００２７】
図１１は、本発明に係るマンガのコマ画像のためのマスク画像を作成するコンピュータプログラムの処理のフローチャートを示している。まず、ステップＳ１１０１から開始し、ステップＳ１１０２では、マンガのコマ画像をメモリに読み込む手段１０２０が、マンガのコマ画像１００をメモリ１０１５に読み込む。
【００２８】
ステップＳ１１０３では、同色領域検出手段１０３０が、メモリ１０１５に保存されているコマ画像１００のエッジ付近（縁に近い部分）をスキャンして同じ色のピクセルが広がっている同色領域を検出する。すなわち、このステップＳ１１０３では、マスクされた領域１２０が検出される。なお、ここでの「同色」とは厳密な同色という意味である必要はなく、ある範囲をもった同系色を「同色」と考えることができる。
【００２９】
このステップＳ１１０３におけるスキャンの様子を図３に示している。その詳細は、本発明に係る方法の実施例において説明したものと同じであるため、ここでは省略する。
【００３０】
ステップＳ１１０４では、マスク色決定手段１０４０がマスク色を決定して、決定したマスク色をメモリ１０１５に保存する。決定方法は任意であるが、例えば、ステップＳ１１０３で検出された同色領域のうち最も広い領域の色をマスク色として決定することができる。
【００３１】
ステップＳ１１０５では、塗り位置決定手段１０５０が、ステップＳ１１０４で決定したマスク色を有する領域に存在するある点（ピクセル）を塗り位置として定めて、その塗り位置をメモリ１０１５に保存する。この塗り位置は、図３の場合、上端付近、下端付近、左端付近及び右端付近から１点ずつ定め、計４点をメモリ１０１５に保存することができる。この点は、同色領域内の任意の位置に置くことができる。
【００３２】
ステップＳ１１０６では、テンポラリマスク画像作成手段１０６０が、メモリ１０１５に保存されているマスク色と、メモリ１０１５に保存されている４点の塗り位置とに基づいて、塗りつぶし処理を行ってマスクを生成する。塗りつぶす範囲は、ステップＳ１１０３で検出された同色領域がコマ画像１００において占める範囲により定まる。そして、テンポラリマスク画像作成手段１０６０は、生成したマスクをコマ画像１００と同じサイズの空の画像に描画し、一時的なマスク画像を作成してメモリ１０１５に保存する。この一時的なマスク画像をテンポラリマスク画像と呼び、図４に既に示したとおりである。なお、ここでの塗りつぶし処理は、例えばシード・フィル(seed fill)・アルゴリズム又はスキャン・ライン・シード・フィル(scan line seed fill)のアルゴリズムにより行うことができる。
【００３３】
この時点で暫定的なマスク画像であるテンポラリマスク画像４００が得られている。しかし、このテンポラリマスク画像４００の問題として、マスクとして塗りつぶすべきではないものの、結果的にマスクとして塗りつぶされている部分が画像４００に含まれている場合がある。具体的には、図４のテンポラリマスク画像４００において符号４１０で示されている部分である。この部分４１０は、図１のコマ画像１００のマスク領域１２０に接している集中線の一部に対応しており、本来マスクとはならない部分である。部分４１０に対応するコマ画像１００内の集中線の一部が、コマ画像１００においてマスク領域１２０に接していてかつマスク色と同色で描画されているために、ステップＳ２０５でマスクとして塗りつぶされて部分４１０が生まれる。
【００３４】
また、異なるサイズのマスク画像を再度作成する場合、このテンポラリマスク画像４００を単に拡大又は縮小すると、マスク領域と白地との境界が粗くなるという問題がある。そこで、これらの問題を解決するために以下の処理を実行する。
【００３５】
ステップＳ１１０７では、ピクセル検出手段１０７０が、メモリ１０１５に保存されているテンポラリマスク画像４００のマスク領域と白地との境界に位置するピクセルを検出する。この様子は本発明に係る方法の実施例において図５を参照しながら説明したとおりである。
【００３６】
ステップＳ１１０８では、直線検出手段１０８０が、ステップＳ１１０７で検出されたピクセルをもとにハフ変換（Ｈｏｕｇｈ変換）を用いて直線を決定する。このようにして、図６に示した直線６１０及び直線６２０が検出される。
【００３７】
ステップＳ１１０９では、空画像作成手段１０８５が、図７に示すような空の画像７００を新たに作成してメモリ１０１５に保存する。この画像７００は、後続の処理を経て最終的なマスク画像となる。この画像７００のサイズは、コマ画像１００と同じサイズとすることができ、あるいはコマ画像１００を拡大又は縮小したサイズとすることもできる。本実施例では、コマ画像１００に対する画像７００の拡大率を１２０％とする。
【００３８】
ステップＳ１１１０では、直線描画手段１０９０が、ステップＳ１１０９で作成された空の画像７００に対して、ステップＳ１１０８で検出された直線を拡大又は縮小して描画する。本実施例では、上述した画像７００の拡大率１２０％に応じて、直線６１０及び６２０がそれぞれ拡大率１２０％で拡大されて描画される。このようにして描画された直線８１０及び８２０を図８に示している。
【００３９】
ステップＳ１１１１では、最終的なマスク画像作成手段１０９５が、ステップＳ１１１０で描画された直線と画像７００のエッジとの間をマスク色で塗りつぶす。本実施例では、最終的なマスク画像作成手段１０９５が、画像７００の左端と直線８１０との間の領域をマスク色で塗りつぶす。そして、最終的なマスク画像作成手段１０９５が、画像７００の右端と直線８２０との間の領域をマスク色で塗りつぶして、最終的なマスク画像９００を作成し、メモリ１０１５に保存する。図９は、このようにしてできた最終的なマスク画像９００を示している。そして、ステップＳ１１１２で手順を終了する。
【００４０】
本発明に係る方法及び本発明に係るコンピュータプログラムによれば、マンガのコマ画像のためのマスク画像を作成することができ、効率的にマンガを製作することができる。
【図面の簡単な説明】
【００４１】
【図１】マンガのコマ画像の一例を示す平面図である。
【図２】本発明に係る方法の処理手順の一例を示すフローチャートである。
【図３】ステップＳ２０２におけるスキャンの様子を示す説明図である。
【図４】テンポラリマスク画像の一例を示す平面図である。
【図５】ステップＳ２０６においてマスク領域と白地との境界に位置するピクセルの検出の様子を示す説明図である。
【図６】ステップＳ２０７において決定された直線を示す平面図である。
【図７】ステップＳ２０８で作成された空の画像の一例を示す平面図である。
【図８】ステップＳ２０９で描画された直線を示す平面図である。
【図９】最終的なマスク画像を示す平面図である。
【図１０】本発明に係るコンピュータプログラムを実行するコンピュータシステム１０００のブロック図である。
【図１１】本発明に係るコンピュータプログラムの処理手順の一例を示すフローチャートである。
【符号の説明】
【００４２】
１００  コマ画像
１１０  コマ領域
１２０  マスク領域
３１０  カーソル
４００  テンポラリマスク画像
４１０  マスクとして塗りつぶすべきではない部分
６１０、６２０、８１０、８２０  直線
７００  空の画像
９００  最終的なマスク画像
１００５  入力手段
１０１０  表示手段
１０１５  メモリ
１０２０  マンガのコマ画像をメモリに読み込む手段
１０３０  同色領域検出手段
１０４０  マスク色決定手段
１０５０  塗り位置決定手段
１０６０  テンポラリマスク画像作成手段
１０７０  ピクセル検出手段
１０８０  直線検出手段
１０８５  空画像作成手段
１０９０  直線描画手段
１０９５  最終的なマスク画像作成手段
【図２】
0004890425.tif 000002
【図３】
0004890425.tif 000003
【図７】
0004890425.tif 000004
【図８】
0004890425.tif 000005
【図１０】
0004890425.tif 000006
【図１１】
0004890425.tif 000007
【図１】
0004890425.tif 000008
【図４】
0004890425.tif 000009
【図５】
0004890425.tif 000010
【図６】
0004890425.tif 000011
【図９】
0004890425.tif 000012